【事件の表示】
　特願２０１２−２７９２７２「表示装置、および光学系」拒絶査定不服審判事件〔平成２５年　４月　４日出願公開、特開２０１３−　６１６８５、請求項の数（４３）〕について、次のとおり審決する。
【結　論】
　原査定を取り消す。
　本願の発明は、特許すべきものとする。
【理　由】
第１　手続の概要
　本願は、２００５年１月５日（パリ条約による優先権主張外国庁受理２００４年１月６日、米国）を国際出願日とする出願である特願２００６−５４９４００号（以下、「原出願」という。）の一部を平成２４年１２月２１日に新たな特許出願としたものであって、平成２６年２月６日付けで拒絶理由が通知され、同年４月１１日付けで意見書が提出されるとともに、同日付けで手続補正書が提出され、同年１２月９日付けで拒絶理由（最後）が通知され、平成２７年２月１３日付けで意見書が提出されるとともに、同日付けで手続補正書が提出されたが、同年７月１３日付けで平成２７年２月１３日付けの手続補正の補正の却下の決定がなされるとともに、拒絶査定（以下、「原査定」という。）がなされた。
　本件は、これに対して、同年１０月２０日に拒絶査定に対する審判請求がなされ、同時に手続補正がなされたものである。その後、同年１２月２５日付けで前置報告（以下、単に「前置報告」という。）がなされた。
第２　平成２７年１０月２０日付けの手続補正（以下、「本件補正」という。）の適否
１　本件補正の内容
　本件補正は、本件補正前の、平成２６年４月１１日付けの手続補正（なお、平成２７年２月１３日付けの手続補正は、上述のとおり、補正の却下の決定がなされている。）により補正された特許請求の範囲を、以下のとおりに補正するものである。
「　【請求項１】
　光学系を備えた表示装置であって、
　前記光学系は、
　元の映像から予備歪曲映像を生成する予備歪曲系と、
　前記予備歪曲映像の予備歪曲を実質的に相殺するように歪ませ、スクリーンに前記元の映像に対応する実質的に非歪曲映像を投影させる投影系と
　を備え、
　前記予備歪曲映像は、像面が歪曲しており、前記予備歪曲系及び前記投影系の間に形成され、
　前記予備歪曲系と前記投影系との間に、入射する光の方向を２回変更する方向変更部を備え、
　前記予備歪曲系の光軸および前記投影系の光軸は、約１８０°の角度を形成していることを特徴とする表示装置。
　　【請求項２】
　前記光学系が分離可能に結合されていることを特徴とする請求項１記載の表示装置。
　　【請求項３】
　前記予備歪曲映像は、形状が歪んでいることを特徴とする請求項１又は２記載の表示装置。
　　【請求項４】
　前記予備歪曲映像は、ほぼ半円の映像であることを特徴とする請求項１〜３のいずれか一項に記載の表示装置。
　　【請求項５】
　前記予備歪曲映像は、ほぼ円形の映像であることを特徴とする請求項１〜３のいずれか一項に記載の表示装置。
　　【請求項６】
　前記予備歪曲系の光軸と、前記投影系との光軸は、同軸であることを特徴とする請求項１〜５のいずれか一項に記載の表示装置。
　　【請求項７】
　前記予備歪曲系は、前記方向変更部の近傍に前記予備歪曲映像を生成することを特徴とする請求項１〜６のいずれか一項に記載の表示装置。
　　【請求項８】
　前記予備歪曲系は、前記方向変更部の位置よりも前記投影系側に前記予備歪曲映像を生成する請求項１〜７のいずれか一項に記載の表示装置。
　　【請求項９】
　前記予備歪曲系は、レンズを含むことを特徴とする請求項１〜８のいずれか一項に記載の表示装置。
　　【請求項１０】
　前記投影系は、前記表示装置が設置される水平面に対して約３０°から約８０°の間の角度で前記非歪曲映像を投影することを特徴とする請求項１〜９のいずれか一項に記載の表示装置。
　　【請求項１１】
　前記投影系は、前記非歪曲映像の前記表示装置より遠い側の端を、前記表示装置が設置される水平面に対して約８０°で投影することを特徴とする請求項１〜１０のいずれか一項に記載の表示装置。
　　【請求項１２】
　前記投影系は、前記非歪曲映像の前記表示装置に近い側の端を、前記表示装置が設置される水平面に対して約３０°で投影することを特徴とする請求項１〜１１のいずれか一項に記載の表示装置。
　　【請求項１３】
　前記投影系の光軸が、前記スクリーンに略垂直であることを特徴とする請求項１〜１２のいずれか一項に記載の表示装置。
　　【請求項１４】
　前記投影系は、前記スクリーンに映像を結像することを特徴とする請求項１〜１３のいずれか一項に記載の表示装置。
　　【請求項１５】
　前記投影系の画角が１００°を超えることを特徴とする請求項１〜１４のいずれか一項に記載の表示装置。
　　【請求項１６】
　前記投影系の画角が、約１５３°であることを特徴とする請求項１５に記載の表示装置。
　　【請求項１７】
　前記投影系の画角が、約１００°から約１５３°であることを特徴とする請求項１〜１６のいずれか一項に記載の表示装置。
　　【請求項１８】
　前記表示装置は、フロント・プロジェクション表示装置であることを特徴とする請求項１〜１７のいずれか一項に記載の表示装置。
　　【請求項１９】
　前記投影系は、広角レンズを備えていることを特徴とする請求項１〜１８のいずれか一項に記載の表示装置。
　　【請求項２０】
　前記予備歪曲系は、中継レンズ群を備えていることを特徴とする請求項１〜１９のいずれか一項に記載の表示装置。
　　【請求項２１】
　前記表示装置は、前記スクリーンに対して２インチ（５．０８ｃｍ）から１０インチ（２５．４０ｃｍ）以内の距離に配置されたときに、前記非歪曲映像のサイズが約５０インチ（約１２７．００ｃｍ）から約１００インチ（約２５４．００ｃｍ）となることを特徴とする請求項１〜２０のいずれか一項に記載の表示装置。
　　【請求項２２】
　前記非歪曲映像は、全体の歪みが約３％未満であることを特徴とする請求項１〜２１のいずれか一項に記載の表示装置。
　　【請求項２３】
　映像を生成する映像生成部をさらに備え、
　前記映像生成部は、前記スクリーンと略平行であることを特徴とする請求項１〜２２のいずれか一項に記載の表示装置。
　　【請求項２４】
　光学系であって、
　元の映像から予備歪曲映像を生成する予備歪曲系と、
　前記予備歪曲映像の予備歪曲を実質的に相殺するように歪ませ、前記元の映像に対応する実質的に非歪曲映像を投影させる投影系と
　を備え、
　前記予備歪曲映像は、像面が歪曲しており、前記予備歪曲系及び前記投影系の間に形成され、
　前記予備歪曲系と前記投影系との間に、入射する光の方向を２回変更する方向変更部を備え、
　前記予備歪曲系の光軸および前記投影系の光軸は、約１８０°の角度を形成していることを特徴とする光学系。
　　【請求項２５】
　前記光学系は、入射した画像を拡大投写するプロジェクタに用いる光学系であり、
　前記プロジェクタに対して分離可能に結合する結合部を備えることを特徴とする請求項３０に記載の光学系。
　　【請求項２６】
　前記予備歪曲映像は、形状が歪んでいることを特徴とする請求項２４又は２５記載の光学系。
　　【請求項２７】
　前記予備歪曲映像は、ほぼ半円の映像であることを特徴とする請求項２４〜２６のいずれか一項に記載の光学系。
　　【請求項２８】
　前記予備歪曲映像は、ほぼ円形の映像であることを特徴とする請求項２４〜２６のいずれか一項に記載の光学系。
　　【請求項２９】
　前記予備歪曲系の光軸と、前記投影系との光軸は、同軸であることを特徴とする請求項２４〜２８のいずれか一項に記載の光学系。
　　【請求項３０】
　前記予備歪曲系は、前記方向変更部の近傍に前記予備歪曲映像を生成することを特徴とする請求項２４〜２９のいずれか一項に記載の光学系。
　　【請求項３１】
　前記予備歪曲系は、前記方向変更部の位置よりも前記投影系側に前記予備歪曲映像を生成する請求項２４〜３０のいずれか一項に記載の光学系。
　　【請求項３２】
　前記予備歪曲系は、レンズを含むことを特徴とする請求項２４〜３１のいずれか一項に記載の光学系。
　　【請求項３３】
　前記投影系は、前記光学系が設置される水平面に対して約３０°から約８０°の間の角度で前記非歪曲映像を投影することを特徴とする請求項２４〜３２のいずれか一項に記載の光学系。
　　【請求項３４】
　前記投影系は、前記非歪曲映像の前記投影系より遠い側の端を、前記光学系が設置される水平面に対して約８０°で投影することを特徴とする請求項２４〜３３のいずれか一項に記載の光学系。
　　【請求項３５】
　前記投影系は、前記非歪曲映像の前記投影系に近い側の端を、前記光学系が設置される水平面に対して約３０°で投影することを特徴とする請求項２４〜３４のいずれか一項に記載の光学系。
　　【請求項３６】
　前記投影系の光軸が、スクリーンに略垂直であることを特徴とする請求項２４〜３５のいずれか一項に記載の光学系。
　　【請求項３７】
　前記投影系は、前記スクリーンに映像を結像することを特徴とする請求項３６のいずれか一項に記載の光学系。
　　【請求項３８】
　前記投影系の画角が１００°を超えることを特徴とする請求項２４〜３７のいずれか一項に記載の光学系。
　　【請求項３９】
　前記投影系の画角が、約１５３°であることを特徴とする請求項３８に記載の光学系。
　　【請求項４０】
　前記投影系の画角が、約１００°から約１５３°であることを特徴とする請求項２４〜３９のいずれか一項に記載の光学系。
　　【請求項４１】
　前記投影系は、広角レンズを備えていることを特徴とする請求項２４〜４０のいずれか一項に記載の光学系。
　　【請求項４２】
　前記予備歪曲系は、中継レンズ群を備えていることを特徴とする請求項２４〜４１のいずれか一項に記載の光学系。
　　【請求項４３】
　前記非歪曲映像は、全体の歪みが約３％未満であることを特徴とする請求項２４〜４２のいずれか一項に記載の光学系。」
　なお、本件補正後の請求項２５の記載について、「・・請求項３０に記載の・・」という記載は、明らかに、「・・請求項２４に記載の・・」の誤記であると認める。
２　前置報告について
　本件補正後の本願について、審査官がした前置報告は、以下のとおりである。
「この審判請求に係る出願については、下記のとおり報告します。
　　　　　　　　　　　　　　　　　記
　平成２７年１０月２０日付けの手続補正書による補正は、請求項２として、「前記光学系が分離可能に結合されていることを特徴とする請求項１記載の表示装置。」という請求項を、請求項２５として、「前記光学系は、入射した画像を拡大投写するプロジェクタに用いる光学系であり、前記プロジェクタに対して分離可能に結合する結合部を備えることを特徴とする請求項３０に記載の光学系。」という請求項を、追加する補正である。
　当該補正は特許請求の範囲の減縮ではないので、当該補正は請求項の限定的減縮を目的とするものではない。また、請求項の削除、明りょうでない記載の釈明、誤記の訂正を目的とするものでもない。
　したがって、この補正は、特許法第１７条の２第４項の各号に掲げるいずれの事項を目的とするものにも該当せず、同法第１７条の２第４項の規定に違反するものであるから、同法第１５９条第１項において読み替えて準用する同法第５３条第１項の規定により却下されるべきものである。
　そして、この出願は原査定の理由に示したとおり拒絶されるべきものである。
　また、請求項１、２４についての補正は限定的減縮を目的としている。この場合、補正後の請求項１、２４に係る発明は特許出願の際独立して特許を受けることができるものでなければならない。
　しかしながら、下記の理由１に示すように、当該補正後の請求項１、２４に係る発明は、特許法第２９条第２項の規定により、特許出願の際独立して特許を受けることができない。
　よって、この補正は同法第１７条の２第５項において準用する同法第１２６条第５項の規定に違反するものであるから、同法第１５９条第１項において読み替えて準用する同法第５３条第１項の規定により却下されるべきものである。
　そして、この出願は原査定の理由に示したとおり拒絶されるべきものである。
　また、請求項２５についての補正は限定的減縮を目的としている。この場合、補正後の請求項２５に係る発明は特許出願の際独立して特許を受けることができるものでなければならない。
　しかしながら、下記の理由２に示すように、この出願は特許法第３６条第６項第４号に規定する要件を満たしていないため、当該補正後の請求項２５に係る発明は、特許出願の際独立して特許を受けることができない。
　よって、この補正は同法第１７条の２第５項において準用する同法第１２６条第５項の規定に違反するものであるから、同法第１５９条第１項において読み替えて準用する同法第５３条第１項の規定により却下されるべきものである。
　そして、この出願は原査定の理由に示したとおり拒絶されるべきものである。
＜理由１＞
・根拠条文　特許法第２９条第２項
・請求項　１、２４
・引用文献等　３
・特許査定できない理由
　引用文献３には、中間像（「予備歪曲画像」）を生成するリレーレンズ系２３０（「予備歪曲系」）と、投影レンズ３１０（「投影系」）と、を備える立体表示装置１００の発明（以下、「引用発明３」という。引用文献３のＦｉｇ．１〜Ｆｉｇ．５、明細書第４ページ第２０行〜第９ページ第２９行を参照。）が記載されている。
　引用文献３には、投影レンズ３１０（「投影系」）がもたらす負の像面湾曲、負の軸色、及び横色などの光学収差をリレーレンズ系２３０（「予備歪曲系」）の軸色及び像面湾曲を増加させて補償すること（引用文献３の明細書第８ページ、第１行〜第２３行、特に第６行〜第８行を参照。）、が記載されている。引用発明３において、リレーレンズ系２３０（「予備歪曲系」）と、投影レンズ３１０（「投影系」）との間に、ミラー２６０、２７０、２８０、２９０を備えているが、当該ミラーの枚数を何枚にするかや最終的にリレーレンズ系２３０（「予備歪曲系」）と投影レンズ３１０（「投影系」）の光軸をどのようにするかについては当業者が、画像形成素子とスクリーンの位置関係から当業者が適宜定める設計的事項である。なお、出願人は、平成２７年１０月２０日付けの審判請求書において、「予備歪曲系と投影系のあいだに、入射する光の方向を２回変更する方向変更部を備えて、予備歪曲系の光軸と投影系の光軸とのなす角度が約１８０°である構成」「により、レンズの長さを抑えることができ、表示装置をよりスクリーンのある壁等により近接して配置することを可能とし、プロジェクタに必要とするスペースを低減することが可能となるという格別の効果を有します。」と主張しているが、「レンズの長さを抑えること」や「プロジェクタに必要とするスペースを低減する」ことについてはプロジェクタの技術分野において本願出願前周知の課題であり、「レンズの長さを抑え」たり「プロジェクタに必要とするスペースを低減」するためには、「光軸」の角度以外の要因が大きく影響することは本願出願時の技術常識から明らかであることから、単に「予備歪曲系と投影系のあいだに、入射する光の方向を２回変更する方向変更部を備えて、予備歪曲系の光軸と投影系の光軸とのなす角度が約１８０°である」ようにすれば、「レンズの長さを抑えること」や「プロジェクタに必要とするスペースを低減する」ことができるとは言えないことから、当該請求項に記載のようにすることによって、特段の効果が生じているとも認められない。
　よって、引用発明３に基づいて本願の請求項１、２４に係る発明とすることは、当業者であれば容易に想到し得たことである。　
　なお、上記の検討及び平成２６年１２月　９日付けの拒絶理由通知の理由２−３での検討からすれば、補正後の請求項３−２３、２６−４３についても特許法第２９条第２項の規定により、特許出願の際独立して特許を受けることができない。
　また、補正後の請求項２、２５についても、適宜「分離可能に結合」するように設計変更することは、当業者であれば容易に想到し得たことであることから、特許法第２９条第２項の規定により、特許出願の際独立して特許を受けることができない。
＜理由２＞
・根拠条文　特許法第３６条第６項第４号
・請求項　２５
・特許査定できない理由
　先行する請求項の記載を引用していない。
　よって、請求項２５の記載は、経済産業省令で定めるところにより記載された
ものではない。
　　　　　　　　　　　　　＜引用文献等一覧＞
３.国際公開第２００２／０２１８５１号」
３　本件補正の目的
　上記「２」で挙げたとおり、前置報告で、審査官は、本件補正は、平成１８年法律第５５号改正附則第３条第１項によりなお従前の例によるとされる同法による改正前の特許法第１７条の２（以下、単に「特許法第１７条の２」という。）第４項に掲げられた事項を目的とするものではないとしている。
　しかし、本件補正は、本件補正前の請求項１を引用する請求項５を引用する請求項２３を「
２回
２回
２回
　すると、本件補正は、特許法第１７条の２第４項第２号の特許請求の範囲の減縮を目的とするものに該当する。
　なお、請求人の審判請求書の【請求の理由】の
「（３−２）補正の根拠の明示 
 　請求項１については、旧請求項１に旧請求項２１の特徴を加え、請求項２４については、旧請求項３０に旧請求項５０の特徴を加え、請求項２および請求項２５として段落［００４１］に基づく請求項を追加し、旧請求項２０〜２５、２８、３５、４９〜５４を削除しました。 」
という主張の「旧請求項」は、補正の却下の決定がなされた平成２７年２月１３日付けの手続補正により補正された特許請求の範囲の請求項を示すものであるから、該主張は採用の限りではない。
４　新規事項
　本件補正は、特許法第１７条の２第３項に違反するところはない。
５　独立特許要件
　上記「３」検討したとおり、本件補正は、特許請求の範囲の減縮を目的とするものであるから、本件補正後の特許請求の範囲の請求項１〜４３に係る発明（以下、それぞれ、「本件補正発明１」〜「本件補正発明４３」という。）が特許出願の際独立して特許を受けることができるものであるか否か（特許法第１７条の２第５項において準用する同法第１２６条第５項の規定に違反するか否か）について、以下に検討する。
　上記「２」で挙げたとおり、前置報告で、審査官は、本件補正発明１、２４は引用文献３に記載された発明に基づいて、当業者が容易に発明し得たものであるとしている。
（１）引用刊行物
　原査定に引用され、本願の原出願の優先日前に頒布された刊行物である、国際公開第０２／２１８５１号（以下、「引用文献１」という。）には、以下の事項が記載されている。（日本語訳は、ファミリー文献である特表２００４−５０８７７９号公報を参考にして、当審が作成した。また、日本語訳における下線は、当審が付した。）
ア　「DETAILED DESCRIPTION
 Three-dimensional volumetric displays that embody the invention include a projection system that has two fundamental parts: a front-end that supplies and relays the image, and a back-end that delivers the image to the viewer. The front-end is stationary, mounted below the viewing volume and out of sight from the viewer. It receives and processes data and instructions from a computer, and generates the image. The computer is also a user interface. The back-end is mounted on, or coupled to, a platform that sits above the front-end, and rotates with the platform during operation. The back-end delivers the image supplied by the front-end to a screen, which is mounted on and also rotates with the platform.
 FIG. 1 shows an embodiment of a volumetric display 100. The volumetric display includes a base plate 110, on which is mounted a projection system 120, front-end projection optics (not shown), system electronics 130, and a frameless DC motor (not shown). Also mounted on base plate 110 is a casing 140, which encloses the abovementioned components mounted on base plate 110, protects them, and hides them from view. A computer connects to system electronics 130 through interface 150.
 A circular platform 160 is positioned above projection system 120 and the front-end projection optics. Platform 160 is concentrically mounted on an annular shaft of the frameless DC motor. During operation the motor rotates the shaft and platform 160 about a rotation axis 170. Part of back-end projection optics 180 and a projection screen 190 are mounted on platform 160, and also rotate about axis 170 during operation. A transparent dome 195 encases projection screen 190 and back-end optics 180, slotting into a flange that is mounted on the periphery of platform 160. Dome 195 is also rotated during operation. A second dome (not shown) encases dome 195. The second dome is stationary during operation.
 Volumetric display 100 works as follows: a host computer sends image data and commands to display 100 through interface 150. System electronics 130 processes this information into voxel data and stores the processed data in graphics memory until it is needed for display. When needed, system electronics 130 sends the image information to the projection engine, where projection engine 120 converts it to optical information by spatially modulating a beam of light. The light beam leaves the projection engine, and front-end projection optics directs the beam onto axis 170 and toward platform 160. Front-end projection optics include a series of lenses and mirrors that focus the light beam through a projection lens, which is mounted in the annular shaft of the frameless DC motor and a hole in platform 160. A series of mirrors mounted on platform 160 relay the light beam to projection screen 190, where it forms a two- dimensional image.
 The motor rotates platform 160, back-end projection optics, and projection screen 190 at at least about 600 rpm. The motor rotates all of these components at the same angular velocity. System electronics and projection engine 120 refresh the two-dimensional image at least about 4,000 times per second. Each two-dimensional image forms an image slice of the three- dimensional volume image. At these projection and rotation rates the human visual system perceptually fuses the image slices into a volume-filling, three-dimensional image.
 The projection system is designed to be highly compact so as to fit within a very limited space within casing 140 and dome 195, while at the same time providing the desired image magnification (i.e., about 20X) and resolution. The projection system is additionally designed to relay the light beam from a stationary source to a moving screen. An embodiment of such an optical projection system is described in detail below.
 Referring to FIG. 2A and FIG. 2B, front-end optical components 200 are mounted on base 110 of display 100, underneath platform 160 (see FIG. 1). FIGs. 2A and 2B also show part of projection engine 120 (see FIG. 1). The projection engine includes a lightsource and homogenizing and collimating optics (not shown), which delivers a broadband light beam to a prism assembly 210. Prism assembly 210 splits the light beam into its three primary color components (i.e., red, green, and blue), and directs each component to a spatial light modulator (SLM) 220 (only one shown). The SLMs are micro-electromehcanical systems (MEMS) arrays of switchable micromirrors (e.g., Texas Instruments DMDTMs), capable of producing XGA- resolution (1024 x 768) imagery at a frequency of at least about 4 kHz. Each SLM spatially modulates its respective incident light beam to generate a red, green, or blue component image. These images are recombined inside prism assembly 210 to create a full color image (8 colors), which exits the projection engine at a surface 225. Projection engine 120 directs the light beam to a telecentric relay lens system 230. Relay lens system includes three doublet lenses 235, 236, and 237. Relay lens system 230 images SLM 220 to an intermediate image about 600 millimeters away from the projection engine. The intermediate image, having 3.8X magnification is formed between two field lenses, 240 and 250, which are also doublet lenses. The function of the field lenses is discussed below. Relay lens system 230 images the SLMs to an intermediate image to keep the optical path length and image magnification within the constraints provided by the display housing. Imaging the SLM directly to the projection screen would require a much longer optical path length than in the current embodiment. This is due to the large amount of glass in prism assembly 210 between SLM 220 and the optical projection system. Imaging to the projection screen from an intermediate image allows projection optics to be placed close to the intermediate image, and a much shorter optical path is achieved.
 Included in front-end optics 200 are three fold mirrors, 260, 270, and 280. These mirrors fold the projection light path to maintain it within the volume provided by the display casing. Mirrors 260, 270, and 280 also direct the beam to mirror 290, which is located on axis 170 and directs the beam out of the plane of base 110 (see FIG. 1) and along rotation axis 170 and onto a projection lens. At the projection lens, rotation axis 170 is coincident with the optical axis of the projection system. Fold mirrors 260 and 270 are manually adjustable during operation, enabling a user to accurately center the image on the projection screen.
 Referring to FIG. 3, a projection lens 310 focuses the light beam through an annular shaft 320 of frameless DC motor 330. Projection lens 310, along with mirrors 340, 350, and 360 make up the back-end of the optical projection system. Mirrors 340, 350, and 360 are mounted on platform 160 (see FIG. 1) and fold the path of the light beam, maintaining it within the confines of dome 195 (see FIG. 1). Projection lens 310 directs the light beam to mirror 340, mirror 350 directs the light beam to mirror 360, mirror 350 directs the light beam to mirror 360, and mirror 360 directs the light beam to projection screen 190, forming a magnified image of the SLM in area 370. Image area 370 spans a diameter of about 10 inches, corresponding to about 20X magnification of the image at the SLM. The SLM image is cropped to provide a resolution of 768 x 768 pixels. As mentioned above, during operation, motor 330 rotates the back-end optics (i.e., projection lens 310 and mirrors 340, 350, and 360) about axis 170.
 Referring to FIG. 4, projection lens 310 includes a lens triplet assembly: lenses 410, 420, and 430. Lenses 410, 20, and 430 are aligned co-axially along lens axis 440. Lens axis 440 is tilted at an angle 450 of no more than about 10 degrees (e.g., at about 4.94 degrees) with respect to the projection system's optical axis, which is coincident with rotation axis 170 at this point. The light beam enters projection lens 310 through lens 410, and is focused to a waist near lens 420. At the first surface of lens 410, lens axis 440 is displaced from the optical axis by about 5.9 millimeters. Focusing the beam to a waist is necessary to fit the light beam through the aperture provided by motor 330 (see FIG. 3). The light beam exits projection lens 310 through lens 430. The purpose for this design of projection lens is apparent when one examines the unfolded optical path of the projection system.
 Referring to FIG. 5, which shows the unfolded optical path, projection screen 190 is at a 45 degree angle with respect to the projection system's optical axis 510. It is for this reason that projection lens 310 is tilted with respect to the optical axis 510. Tilting the projection lens tilts the plane of the image by a predictable amount, given by the so-called Scheimflug condition. This reduces the distortion introduced by projecting an image onto a plane that is non- perpendicular with respect to the optical axis. Tilt angle 450 depends on the angle between the projection screen plane and the optical axis, and both angles are not limited to the values above.  Projection lens 310 introduces aberrations into the image, including negative field curvature, negative axial color, and lateral color. Prism assembly 210 (see FIG. 2) also introduces aberrations into the image. These aberrations are partially compensated for by relay lens 230 and field lenses 240 and 250. Three doublet lenses, 235, 236, and 237, are used in relay lens 230 to minimize the relay lens power to reduce aberrations. Doublets are used to minimize the dispersive effects of each component. A least one doublet is a higher index doublet, which adds axial color and field curvature to compensate for the aberrations introduced by projection lens 310. '  Field lenses, 240 and 250, also doublet lenses, maintain telecentricity at the intermediate image, which forms at plane 520. The first doublet, lens 240, is located about 30 millimeters in front of intermediate image plane 520, and corrects incident rays to be near- telecentric. Lens 240 also reduces axial color and field curvature. The second doublet, lens 250, is located about 30 millimeters beyond intermediate image plane 520, introduces positive field curvature and axial color, overcompensating for the correction of lens 240. The net contribution to field curvature, and to axial and lateral color introduced by lenses 235, 236, 237, 240, and 250, compensate for the opposite effects introduced by projection lens 310. At projection screen 190 the blue and green images are overlaid, but the red image is axially displaced. The system F- number is established to be slow at the projection screen, so there is a large depth of focus. By design, the field curvature is a tilted plane, rather than a curved surface, due to the compensatory contributions of the projection lens and other lenses to this aberration. The image also has low astigmatism and minimal lateral color. Distortion at the image is straight keystone, the residual pincushion being less than 2 percent. The image quality at the projection screen is sufficient to resolve the 40 pixels per millimeter resolution of the SLMs. This resolution is equivalent to about two pixels per millimeter at the projection screen.
 The software predistorts the image to compensate for the keystoning at the image plane. The software also corrects for image tumbling by counter-rotating the image data. Image tumbling (i.e., image rotation in the projection screen plane) occurs because the front-end optics present a fixed image onto the rotating projection screen.
Projection screen 190, which is centered on rotation axis 170, is typically formed from a diffusely scattering material. This material scatters incident light substantially isotropically, both in a forward and backward direction. This ensures that a portion of the light corresponding to a pixel in a two-dimensional image slice will be received by a viewer standing in almost any viewing locale around the display, minimizing the dark bands in the three-dimensional image known as visual dead zones. Designing the projection screen to be as thin as possible can also minimize the visual dead zones.
 In the current embodiment, projection screen 190 is semi-circular in shape. In general, embodiments of the invention are not so limited. Projection screen 190 can be any size and shape sufficient on which to form the projected image, so long as they are positioned with minimal offset and eccentricity with respect to the rotation axis.
 Also, platform 160 is not limited to the circular platform described above. In general, the platform can be any supporting structure, or combination of supporting structures, sufficient to mechanically couple the back-end optics and projection screen to the motor. In some embodiments, for example, the platform includes a series of radially extending arms for positioning the back-end optics' mirrors appropriately to relay the light beam from the projection lens to the projection screen.
 In general, the motor is not limited to frameless DC motor 330. The motor can be any motor coupled to the back-end optics and projection screen, which rotates the back-end optics and projection screen at the desired rate. In some embodiments, for example, the platform is coupled to the motor by belts and/or gears, and the motor is positioned away from the rotation axis.
 In some embodiments, an emissive pixelated device can replace the projection engine and lightsource. Examples of such devices include arrays of light emitting diodes, including organic light emitting diodes, or vertical cavity surface-emitting lasers (VCSELs).
 A number of embodiments of the invention have been described. Nevertheless, it will be understood that various modifications may be made without departing from the spirit and scope of the invention. For example, the optical components used to relay the image from the projection engine to the projection screen are not limited to those described above. Any combination of lenses, mirrors, diffractive and holographic optical elements, or other light- controlling component may be used for this purpose. Additionally, the image volume, resolution, and gray scale are not limited to the above. Accordingly, other embodiments are within the scope of the following claims. 」（第４頁第１９行〜第９第２９行）
（日本語訳）
「詳細な説明
　本発明の実施形態となる３次元立体表示装置は、画像を供給且つ中継するフロントエンドと、画像を観察者に表示するバックエンドとの２つの基本的部分を備えた投影システムを含む。フロントエンドは、表示立体の下方に、観察者から見えない位置に静止状態で設置されている。フロントエンドは、コンピュータからデータ及び命令を受け取り且つ処理して、画像を生成する。このコンピュータはユーザインターフェースでもある。バックエンドは、フロントエンドの上方に配置されたプラットフォーム上に取り付けられ（すなわち、連結され）ており、動作時にはプラットフォームと共に回転する。バックエンドは、フロントエンドが供給した画像を画面まで送出する。また、この画面は、プラットフォーム上に取り付けられて、プラットフォームと共に回転する。
　図１は、立体表示装置１００の実施形態を示す。
この立体表示装置は、その上に投影システム１２０が設置されるベースプレート１１０と、フロントエンド投影光学素子（図示しない）と、システム電子機器１３０と、フレームレス直流モータ（図示しない）とを含む。更に、ベースプレート１１０上には、ベースプレート１１０上に設置された上述の構成要素を囲み、保護し、且つ視線から覆い隠すケーシング１４０も設置されている。
　
円形プラットフォーム１６０が、投影システム１２０及びフロントエンド投影光学素子の上方に配置してある。
バックエンド投影光学素子１８０の一部及び投影画面１９０は、プラットフォーム１６０上に取り付けられており、動作時には、これらも軸１７０を中心として回転する。透明なドーム１９５が、プラットフォーム１６０の外縁部に取り付けられたフランジ内に嵌合された状態で、投影画面１９０及びバックエンド光学素子１８０を覆っている。ドーム１９５も動作時には回転する。
　立体表示装置１００は次のように作動する。ホストコンピュータが、画像データ及びコマンドをインターフェース１５０を介して表示装置１００に送る。システム電子機器１３０が、この情報をボクセルに変換処理して、表示するため必要となるまでこの処理済みデータをグラフィックメモリに格納しておく。必要となれば、システム電子機器１３０が、この画像情報を投影エンジンに送り、投影エンジン１２０がそこで光線を空間的に変調することで、この情報を光学情報に変換する。光線が投影エンジンを出ると、フロントエンド投影光学素子が、その光線を軸１７０に沿ってプラットフォーム１６０に方向付ける。フロントエンド投影光学素子には、映写レンズを介してこの光線を集束する一連のレンズ及びミラーが含まれ、この映写レンズは、フレームレス直流モータの環状シャフト内でプラットフォーム１６０の開口部に取り付けられている。プラットフォーム１６０上に取り付けられた一連のミラーが、光線を投影画面１９０まで中継し、この光線が、投影画面上で２次元画像を形成する。
　モータが、プラットフォーム１６０と、バックエンド投影光学素子と、投影画面１９０とを概ね毎分６００回転の速度で回転させる。モータは、これら構成要素全てを同一の角速度で回転させる。システム電子機器及び投影エンジン１２０はこの２次元画像を、少なくとも概ね毎秒４，０００回の割合でリフレッシュする。各２次元画像は、３次元立体画像の「画像スライス」を形成する。この投影及び回転率においては、ヒトの視覚系は、「画像スライス」を立体を充填する３次元立体画像へと知覚的に融合する。
　
この投影システムは、ケーシング１４０及びドーム１９５内の非常に限られたスペースに収容できるように極めてコンパクトに設計されている。
　図２Ａ及び図２Ｂを参照すると、
フロントエンド光学構成要素２００が、プラットフォーム１６０（図１を参照）の下方に、表示装置１００のベース１１０上に取り付けられている。
投影エンジンは、
を含む。
空間光変調器（ＳＬＭ）２２０
各ＳＬＭは、それぞれの入射光線を空間的に変調して、赤、緑、又は青色成分画像を生成する。これらの画像は、プリズム集成装置２１０内部で再度組み合わされて、単一のフルカラー像（８色）となり、表面２２５において投影エンジンから出る。
　
投影エンジン１２０は、光線をテレセントリック・リレーレンズ系２３０に向ける。このリレーレンズ系は、３つのダブレットレンズ２３５、２３６、及び２３７を含む。リレーレンズ系２３０は、ＳＬＭ２２０を
中間像に結像する。この中間像は
同様にダブレットレンズである２つの視野レンズ２４０と２５０との間に形成される。
　リレーレンズ系２３０は、ＳＬＭを中間像に結像して、光学距離及び像の倍率を表示装置ハウジングが課す制約内に収まるようにする。ＳＬＭを投影画面に直接結像してしまうと、本実施形態よりもかなり長い光学距離が必要となるはずである。これは、ＳＬＭ２２０と光学投影システムとの間のプリズム集成装置２１０に大量のガラスが使用されているからである。中間像から投影画面に結像すると、投影光学素子を中間像に近づけて配置可能で、光学距離も相当短くできる。
　
フロントエンド光学素子２００には、３つ折りミラー２６０、２７０、及び２８０が含まれている。
ミラー２６０、２７０、及び２８０は、光線をミラー２９０に向けるが、このミラー２９０は、軸１７０上に位置しており且つ、光線をベース１１０（図１を参照）の平面から外部へ、回転軸１７０に沿って投影レンズまで導く。
　図３を参照すると、投影レンズ３１０は、フレームレス直流モータ３３０の環状シャフト３２０を通して光線を集束させる。
投影レンズ３１０は、ミラー３４０、３５０、及び３６０と共に光学投影システムのバックエンドを構成する。ミラー３４０、３５０、及び３６０は、プラットフォーム１６０（図１を参照）上に取り付けられており、光線の光路を折り曲げ、光路をドーム１９５（図１を参照）の内部に収容する。投影レンズ３１０は
ＳＬＭの拡大像を領域３７０内に形成する。
　図４を参照すると、投影レンズ３１０は、レンズ４１０、４２０、及び４３０からなるトリプレットレンズ集成装置を含む。レンズ４１０、４２０、及び４３０は、レンズ軸４４０に沿って同軸に位置合わせしてある。レンズ軸４４０は、投影システムの光学軸に対して約１０度以下（例えば、約４．９４度）の角度４５０で傾いており、この光学軸はこの地点では回転軸１７０に一致している。光線は、レンズ４１０を介して投影レンズ３１０に進入して、レンズ４２０付近のウエストに焦点を合わせてある。レンズ４１０の第１表面においては、レンズ軸４４０は光学軸から約５．９ｍｍ変位している。光線がモータ３３０（図３を参照）の開口部を通過するには、光線をウェストに集束させる必要がある。光線は、レンズ４３０を介して投影レンズ３１０から出る。投影レンズをこのように設計する目的は、投影システムの光学通路を展開してみれば明らかとなる。
　展開した光学通路を示す図５を参照すると、投影画面１９０は、投影システムの光学軸５１０に対して４５度の角度をなしている。投影レンズ３１０を光学軸５１０に対して傾けているのは、これが理由である。投影レンズを傾けると、画像の平面を予測可能な量（所謂シャインプルーフ条件によって与えられる）だけ傾けることになる。これにより、光学軸に対して直交していない平面への画像の投影が原因となる歪みが減少する。傾斜角４５０は、投影画面の平面と光学軸との間の角度により決まり、これら２つの角度は上述の角度に限定されない。
　
投影レンズ３１０は、画像に、負の像面湾曲、負の軸上色収差及び横色収差などの光学収差をもたらす。
これらの収差は、リレーレンズ２３０及び視野レンズ２４０及び２５０によって部分的に補償される。
レンズ２３５、２３６、２３７、２４０、及び２５０がもたらす像面湾曲並びに軸上色収差及び横色収差への正味寄与は、投影レンズ３１０がもたらす反対の効果を補償する。
　ソフトウェアが、画像を予め歪ませて画像平面における台形像効果を補償する。又、ソフトウェアは、画像データを反対方向へ回転させることで画像の動軸回転表示を補正する。画像の動軸回転表示（すなわち、投影画面平面における像の回転）が起こる理由は、フロントエンド光学素子が、固定した画像を回転する投影画面上に表示するからである。
　投影画面１９０は回転軸１７０にその中心が位置し、散漫散乱性材料から形成されている。この材料は、入射光を前及び後ろ方向に実質的に等方散乱させる。これにより、２次元画像スライスにおけるピクセルに対応した入射光の一部を、表示装置の周囲のどの観察位置からでも観察者が確実に感知できるようにし、「視覚不感帯」と呼ばれる３次元像の暗帯が最小限に抑えられる。投影画面を可能な限り薄く設計することでも、この視覚不感帯を最小限に抑えることができる。
　本実施形態では、投影画面１９０は半円形状である。一般的には、本発明の実施形態はそれに限定されるわけではない。投影画像が、回転軸に対して最小のオフセット及び偏心率で位置決めされている限りは、投影画面１９０は、こうした像を形成するのに十分な大きさと形状があればよい。
　又、プラットフォーム１６０は、上述した円形プラットフォームには限定されない。一般的に、このプラットフォームは、モータにバックエンド光学素子及び投影画面を機械的に連結するのに十分であれば、どのような支持構造体であっても、複数の支持構造体を組み合わせたものであってもよい。例えば、幾つかの実施形態では、このプラットフォームは、光線を投影レンズから投影画面まで適切に中継するためのバックエンド光学素子のミラーを位置決めする半径方向に延伸した一連のアームを含む。
　一般的に、モータは、フレームレス直流モータ３３０に限定されない。このモータは、バックエンド光学素子及び投影画面を所望の速度で回転させる、バックエンド光学素子及び投影画面に連結されたいかなるモータであってもよい。例えば、実施形態によっては、このプラットフォームをベルト及び／又はギヤでモータに連結し、モ―タは回転軸から離間して配置する。
　実施形態によっては、放射ピクセル化（原語：ｅｍｉｓｓｉｖｅ ｐｉｘｅｌａｔｅｄ）装置を投影エンジン及び光源の替わりに使用できる。こうした装置の例としては、オーガニック発光ダイオードを含む発光ダイオードのアレイ又は垂直キャビティ面放射レーザー（原語：ｖｅｒｔｉｃａｌ ｃａｖｉｔｙ ｓｕｒｆａｃｅ−ｅｍｉｔｔｉｎｇ ｌａｓｅｒ）すなわちＶＣＳＥＬなどがある。
　本発明の複数の実施形態を説明してきた。しかしながら、本発明の精神及び範囲から逸脱することなく多くの修正が可能なことは理解されるであろう。例えば、画像を投影エンジンから投影画面まで中継するのに用いる光学素子は、上述のものに限定されるわけではない。レンズ、ミラー、回折又はホログラフィック光学素子、若しくは、その他の光制御構成要素をこの目的で組み合わせてもよい。更に、画像立体、解像度、及びグレースケールは上述のものに限定されない。従って、これ以外の実施形態も次の請求項の範囲に入る。」
イ　「
　 　 　 　 　 　 　 　 　 　 　 　 　 　 　 　 　 　 　 　 　 」
　上記記載事項イのＦｉｇ．１〜３から、「リレーレンズ系２３０」の光軸と「投影レンズ３１０」の光軸は、９０度の角度を形成していることが読み取れる。
　すると、上記引用文献１の記載事項から、引用文献１には、以下の発明（以下「引用発明」という。）が記載されている。
　
「その上に投影システム１２０が設置されるベースプレート１１０と、フロントエンド投影光学素子と、システム電子機器１３０と、フレームレス直流モータとを含む立体表示装置１００であって、
　ベースプレート１１０上には、ベースプレート１１０上に設置された上述の構成要素を囲み、保護し、且つ視線から覆い隠すケーシング１４０も設置され、
　円形プラットフォーム１６０が、投影システム１２０及びフロントエンド投影光学素子の上方に配置され、バックエンド投影光学素子１８０の一部及び投影画面１９０は、プラットフォーム１６０上に取り付けられており、動作時には、モータが、シャフト及びプラットフォーム１６０を回転軸１７０を中心として回転させ、
　透明なドーム１９５が、プラットフォーム１６０の外縁部に取り付けられたフランジ内に嵌合された状態で、投影画面１９０及びバックエンド光学素子１８０を覆っていて、ドーム１９５も動作時には回転し、
　フロントエンド光学構成要素２００が、プラットフォーム１６０の下方に、表示装置１００のベース１１０上に取り付けられており、
　投影エンジンは空間光変調器（ＳＬＭ）２２０を含み、これらＳＬＭは、それぞれの入射光線を空間的に変調して、赤、緑、又は青色成分画像を生成し、これらの画像は、プリズム集成装置２１０内部で再度組み合わされて、単一のフルカラー像（８色）となり、表面２２５において投影エンジンから出て、３つのダブレットレンズ２３５、２３６、及び２３７を含むテレセントリック・リレーレンズ系２３０に向けられ、
　リレーレンズ系２３０は、ダブレットレンズである２つの視野レンズ２４０と２５０との間で、ＳＬＭ２２０を中間像に結像し、
　フロントエンド光学素子２００には、３つ折りミラー２６０、２７０、及び２８０が含まれており、これらミラーは、投影光路を折り曲げて、光線をミラー２９０に向け、
　このミラー２９０は、軸１７０上に位置しており且つ、光線をベース１１０の平面から外部へ、回転軸１７０に沿って投影レンズ３１０まで導き、
　投影レンズ３１０は、ミラー３４０、３５０、及び３６０と共に光学投影システムのバックエンドを構成し、
　ミラー３４０、３５０、及び３６０は、プラットフォーム１６０上に取り付けられており、光線の光路を折り曲げ、光路をドーム１９５の内部に収容し、投影レンズ３１０はＳＬＭの拡大像を領域３７０内に形成し、
　リレーレンズ系２３０の光軸と投影レンズ３１０の光軸は、９０度の角度を形成しており、
　投影レンズ３１０は、画像に、負の像面湾曲、負の軸上色収差及び横色収差などの光学収差をもたらすが、これらの収差は、レンズ２３５、２３６、２３７、２４０、及び２５０がもたらす像面湾曲並びに軸上色収差及び横色収差への正味寄与が、投影レンズ３１０がもたらす反対の効果を補償することによって、リレーレンズ２３０及び視野レンズ２４０及び２５０によって部分的に補償され、
　ケーシング１４０及びドーム１９５内の非常に限られたスペースに収容できるように極めてコンパクトに設計されている、立体表示装置１００。」
（２）本件補正発明１について
ア　対比
　本件補正発明１と引用発明を対比すると、
「光学系を備えた表示装置であって、
　前記光学系は、
　元の映像から予備歪曲映像を生成する予備歪曲系と、
　前記予備歪曲映像の予備歪曲を実質的に相殺するように歪ませ、スクリーンに前記元の映像に対応する実質的に非歪曲映像を投影させる投影系と
　を備え、
　前記予備歪曲映像は、像面が歪曲しており、前記予備歪曲系及び前記投影系の間に形成されている表示装置。」で一致し、次の点で相違する。
　本件補正発明１では、
「前記予備歪曲系と前記投影系との間に、入射する光の方向を２回変更する方向変更部を備え、
　前記予備歪曲系の光軸および前記投影系の光軸は、約１８０°の角度を形成している」
のに対して、引用発明では、「リレーレンズ系２３０」と「投影レンズ３１０」の間に、「ミラー２６０」、「ミラー２７０」、「ミラー２８０」及び「ミラー２９０」の４つのミラーが配置され、「リレーレンズ系２３の光軸と投影レンズ３１０の光軸は、９０度の角度を形成している」点（以下、「相違点」という。）。
イ　判断
　上記相違点について検討する。
　表示装置に備えられ、中間像を挟んで２つの結像光学系を有する投影光学系において、２つの結像光学系の間に、入射する光の方向を２回変更する方向変更部を備え、２つの結像光学系の光軸が約１８０°の角度を形成している構成を開示する文献は見当たらない。
　さらに、引用発明では、中間像を挟んで２つの結像光学系を有する投影光学系である、「リレーレンズ系２３０」及び「投影レンズ３１０」が、「ケーシング１４０及びドーム１９５内の非常に限られたスペースに収容できるように極めてコンパクトに設計され」、「リレーレンズ系２３０」と「投影レンズ３１０」の間に、「ミラー２６０」、「ミラー２７０」、「ミラー２８０」及び「ミラー２９０」の４つのミラーが配置され、「リレーレンズ系２３の光軸と投影レンズ３１０の光軸は、９０度の角度を形成している」ことを含め、複数のレンズ及びミラーが特定の配置とされたものであって、この特定の配置を、２つの結像光学系の間に、入射する光の方向を２回変更する方向変更部を備え、２つの結像光学系の光軸が約１８０°の角度を形成している構成に設計変更することができないことは、当業者には明らかである。
　すると、引用発明の「立体表示装置１００」において、「リレーレンズ系２３０」及び「投影レンズ３１０」の間に、入射する光の方向を２回変更する方向変更部を備え、２つの結像光学系の光軸が約１８０°の角度を形成している構成とすることは、当業者が容易に想到し得ることであるとはいえない。
ウ　結論
　以上のとおり、本件補正発明１は、上記相違点において、当業者が引用発明に基づいて容易に発明をすることができたものであるということはできない。
（３）本件補正発明２〜２３について
　本件補正発明２〜２３は、本件補正発明１の発明特定事項をすべて有し、さらに限定したものであるから、本件補正発明１と同様、少なくとも、上記相違点において、引用発明に基いて、当業者が容易に発明をすることができたものとはいえない。
（４）本件補正発明２４について
　本件補正発明２４は、本件補正発明１の「表示装置」が備える「光学系」であるから、本件補正発明１と同様、上記相違点において、当業者が引用発明に基づいて容易に発明をすることができたものであるということはできない。
（５）本件補正発明２５〜４３について
　本件補正発明２５〜４３は、本件補正発明２４の発明特定事項をすべて有し、さらに限定したものであるから、本件補正発明２４と同様、少なくとも、上記相違点において、引用発明に基いて、当業者が容易に発明をすることができたものとはいえない。
（６）小括
　上述のとおり、本件補正発明１〜４３は、引用発明に基いて、当業者が容易に発明をすることができたものとはいえないから、特許法第２９条第２項の規定により特許を受けることができないとすることはできない。
　また、他に、本件補正発明１〜４３を特許を受けることができないとする理由を発見しない。
　したがって、本件補正発明１〜４３は特許出願の際独立して特許を受けることができるものであって、特許法第１７条の２第５項において準用する同法第１２６条第５項の規定に違反するものではない。
６　結論
　以上のとおり、本件補正は、特許法第１７条の２第３〜５項の規定に適合する。
第３　本願発明
　上述のとおりであるから、本願の特許請求の範囲の請求項に係る発明は、本件補正発明１〜４３である。
第４　原査定の理由について
１　原査定の理由の概要
（１）原査定
「この出願については、平成２６年１２月　９日付け拒絶理由通知書に記載した理由によって、拒絶をすべきものです。
　なお、意見書の内容を検討しましたが、拒絶理由を覆すに足りる根拠が見いだせません。
備考
　平成２７年　２月１３日付けでした手続補正書による補正は、同日付けで却下された。」
（２）拒絶理由
　そして、上記「平成２６年１２月　９日付け拒絶理由通知書に記載した理由」は、下記のとおりである。
「　　　　　　　　　　　　　　　理　由
＜理由１＞
　この出願は、特許請求の範囲の記載が下記の点で、特許法第３６条第６項第２号に規定する要件を満たしていない。
　　　　　　　　　　　　　　　　　記
・請求項７−３１
　本願の請求項７に記載の「前記方向変更部」について、請求項６を引用しない請求項７（例えば、請求項１を直接引用する請求項７、等。）において、当該「前記方向変更部」という記載の前に、「方向変更部」という記載がなく、当該「前記方向変更部」が何を指しているのか不明確である。
　本願の請求項８に記載の「前記方向変更部」についても同様である。
　よって、請求項７−８と、請求項７−８のいずれかを直接又は間接的に引用する請求項９−３１、に係る発明は明確でない。
　なお、以下においては、請求項７−８は請求項６を直接引用すると解して、検討を行う。
・請求項９−３１
　本願の請求項９に記載の「前記予備歪曲系は、前記投影系の内部に前記予備歪曲映像を生成すること」について、請求項９が間接的に引用する請求項１において、「前記予備歪曲映像は、」「前記予備歪曲系及び前記投影系の間に形成されること」から、当該「前記予備歪曲系は、前記投影系の内部に前記予備歪曲映像を生成すること」が技術的に矛盾する。
　よって、請求項９と、請求項９を直接又は間接的に引用する請求項１０−３１、に係る発明は明確でない。
　なお、請求項９と、請求項９を直接又は間接的に引用する請求項１０−３１、に係る発明については技術的矛盾することから、特許法第３６条第６項第２号に規定する要件以外の要件については審査を行っていない。
・請求項３８−５８
　本願の請求項３８に記載の「前記方向変更部」について、請求項３７を引用しない請求項３８（例えば、請求項３２を直接引用する請求項３８、等。）において、当該「前記方向変更部」という記載の前に、「方向変更部」という記載がなく、当該「前記方向変更部」が何を指しているのか不明確である。
　本願の請求項３９に記載の「前記方向変更部」についても同様である。
　よって、請求項３８−３９と、請求項３８−３９のいずれかを直接又は間接的に引用する請求項４０−５８、に係る発明は明確でない。
　なお、以下においては、請求項３８−３９は請求項３７を直接引用すると解して、検討を行う。
・請求項４０−５８
　本願の請求項４０に記載の「前記予備歪曲系は、前記投影系の内部に前記予備歪曲映像を生成すること」について、請求項４０が間接的に引用する請求項３２において、「前記予備歪曲映像は、」「前記予備歪曲系及び前記投影系の間に形成されること」から、当該「前記予備歪曲系は、前記投影系の内部に前記予備歪曲映像を生成すること」が技術的に矛盾する。
　よって、請求項４０と、請求項４０を直接又は間接的に引用する請求項４１−５８、に係る発明は明確でない。
　なお、請求項４０と、請求項４０を直接又は間接的に引用する請求項４１−３８、に係る発明については技術的矛盾することから、特許法第３６条第６項第２号に規定する要件以外の要件については審査を行っていない。
・請求項４５−５８
　本願の請求項４５に記載の「前記スクリーン」について、当該「前記スクリーン」という記載の前に、「スクリーン」という記載がなく、当該「前記スクリーン」が何を指しているのか不明確である。
　本願の請求項４６に記載の「前記スクリーン」についても同様である。
　よって、請求項４５−４６と、請求項４５−４６のいずれかを直接又は間接的に引用する請求項４７−５８、に係る発明は明確でない。
＜理由２＞
　この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
　　　　　記　　　（引用文献等については引用文献等一覧参照）
・請求項１−２、６、１０、１５、２１、３０−３３、３７、４１、４６、５１
・引用文献等３
・備考
　引用文献３には、中間像（「予備歪曲画像」）を生成するリレーレンズ系２３０（「予備歪曲系」）と、投影レンズ３１０（「投影系」）と、を備える立体表示装置１００の発明（以下、「引用発明３」という。引用文献３の明細書第４ページ第２０行〜第９ページ第２９行を参照。）が記載されている。
　引用文献３には、投影レンズ３１０（「投影系」）がもたらす負の像面湾曲、負の軸色、及び横色などの光学収差をリレーレンズ系２３０リレーレンズ系２３０（「予備歪曲系」）の軸色及び像面湾曲を増加させて補償すること（引用文献３のＦｉｇ．１〜Ｆｉｇ．５、明細書第８ページ、第１行〜第２３行）、が記載されている。
　よって、本願の請求項１−２、６、１０、１５、２１、３０−３３、３７、４１、４６、５１に係る発明と、引用発明３とは、発明特定事項に差異はない。
＜理由３＞
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項１−４、６−８、１０−１３、１５−１８、２０−３５、３８−３９、４１−４４、４６−５８
・引用文献等３
・備考
（請求項１−２、６、１０、１５、２１、３０−３３、３７、４１、４６、５１について）
　理由２より明らかである。
（請求項３−４、３４−３５について）
　引用発明３において、「予備歪曲映像」の形状をどのようにするかは、当業者が適宜定める設計的事項である。
（請求項７−８、３８−３９について）
　引用文献３のミラー２９０（「方向変更部」）に対して、どの位置に中間像（「予備歪曲映像」）を形成するかについては、当業者が適宜定める設計的事項である。
（請求項１１−１３、４２−４４について）
　どのような角度で投射するようにするかについては、当業者が適宜定める設計的事項である。
（請求項１６−１８、２８−２９、４７−４９、５８について）
　当該請求項に記載の数値範囲は、当業者にとって適宜選択可能な設計事項にすぎない。
（請求項２０、５０について）
　本願出願前周知である。
（請求項２２−２７、５２−５７について）
　光学系の光路を必要に応じて適宜変更することは、当業者が通常行う設計的事項であって、当該請求項に記載のようにすることによって、特段の効果が生じているとも認められない。
・請求項５、１４、１９、３６、４５
・引用文献等３−４
・備考
　引用文献４には、第１のレンズ群１４と、第３のレンズ群１６と、投射型表示装置の発明（以下、「引用発明４」という。）が記載されている。引用文献４には、第１のレンズ群１４により、第２のレンズ群１５上に等倍の画像を結像すること、すなわち、「元の映像から」「映像を生成する」こと、が記載されている。（引用文献４の図１〜図２、【０００６】〜【００１５】を参照。）
　引用文献４の図１〜図２より、引用発明４の第１のレンズ群１４と、第３のレンズ群１６とは、「同軸であること」が視認される。
　引用発明４において、第３のレンズ群１６の収差を補償するという課題を有していることは明らかであることから、引用発明４における第３のレンズ群１６の収差を補正するために、引用文献３に記載のように第１のレンズ群１４により当該収差を補償することによって、本願の請求項５、１４、１９、３６、４５に係る発明とすることは、当業者であれば容易に想到し得たことである。
　　　　　　　　　　　引　用　文　献　等　一　覧
３.国際公開第２００２／０２１８５１号
４.特開平０５−０２７３４５号公報」
２　当審の判断
（１）原査定の拒絶理由
　原査定では、「この出願については、平成２６年１２月　９日付け拒絶理由通知書に記載した理由によって、拒絶をすべきものです。」とのみ記載され、平成２６年１２月　９日付け拒絶理由通知書に記載した３つの理由のうちのどの理由であるかの特定はないが、平成２７年　２月１３日付けでした手続補正書による補正が却下されたという事情に鑑みると、３つの理由のすべてによって、拒絶すべきものと判断していることが明らかであるので、以下、３つの理由について、検討する。
（２）原査定の＜理由１＞について
　理由１は、本件補正により、すべて解消されたことは明らかである。
（３）原査定の＜理由２＞及び＜理由３＞について
　上記「第２」「５」での検討と同様の理由により、本件補正発明１〜４３を当業者が容易に発明をすることができたものであるということはできない。
　なお、原査定において、引用文献４として挙げられた特開平０５−０２７３４５号公報は、上述の原査定での指摘のとおり、中間像を挟んで２つの結像光学系を有する投影光学系において、２つの結像光学系が同軸であることを開示するに留まるものであって、この文献に記載された技術事項を考慮しても、本件補正発明１〜４３を当業者が容易に発明をすることができたものであるということはできない。
（４）原査定についての結論
　したがって、原査定のいずれの理由によっても、本願は拒絶すべきものであるとすることはできない。
第５　むすび
　以上のとおり、原査定の理由によっては、本願を拒絶すべきものとすることはできない。
　また、他に本願を拒絶すべき理由を発見しない。
　よって、結論のとおり審決する。